(57)【要約】【課題】  長くグリップを持つ場合であっても、手の平の痛みや圧迫感を軽減できる釣り竿のグリップ構造を提供する。【解決手段】  竿素材１Ａの外周面にウレタンゴム製のコア材３を取付固定するとともに、コア材３の外周面に樹脂繊維４ａを組み合わせた紐材４Ａを編み組した被覆体４を取り付ける。紐材４Ａを、厚みに対して横幅の広い偏平断面形状のものに形成し、横幅の広い偏平面が表面を向く状態で巻回してある。【選択図】        図１
2008017791.tif 000002
【特許請求の範囲】
【請求項１】
竿素材の外周面にコア材を取付固定するとともに、前記コア材の外周面に繊維を組み合わせた紐材を編み組した被覆体を取り付け、前記紐材を、厚みに対して横幅の広い偏平断面形状のものに形成し、前記横幅の広い偏平面が表面を向く状態で巻回してある釣り竿のグリップ構造。
【請求項２】
前記被覆体の表面に柔軟性塗料を施すとともに、前記紐材の表面に位置する前記柔軟性塗料層の表面を平坦面に形成してある請求項１記載の釣り竿のグリップ構造。
【請求項３】
前記被覆体が前記紐材を編み組みした袋である請求項１又は２記載の釣り竿のグリップ構造。
【請求項４】
前記紐材を、前記竿素材の軸線に対して傾斜する状態に配置して編み組みする請求項１から３のうちのいずれか一つに記載の釣り竿のグリップ構造。
【請求項５】
前記被覆体の表面に柔軟性塗料を施すとともに、前記紐材の表面を平滑面に形成してある請求項１記載の釣り竿のグリップ構造。
【発明の詳細な説明】
【技術分野】
【０００１】
本発明は、コア材の外周面に紐材を編み組した被覆体を備えている釣り竿のグリップ構造に関する。
【背景技術】
【０００２】
被覆体を構成する紐材としては、繊維素材を使用するもの（特許文献１参照）、繊維を撚糸、モノフィラメント、束状にして使用するもの（特許文献２参照）が記載されている。
【０００３】
【特許文献１】実開平５−８８２６４号公報（段落番号〔００１４〕、及び、図１）
【特許文献２】実公平８−１６６２号公報（公報２頁第３欄第５行〜第１４行、及び、図１）
【発明の開示】
【発明が解決しようとする課題】
【０００４】
前記したように、特許文献１においては、紐材として使用される繊維素材がどのような断面形状を呈するのかについては明確な記載がされてはいない。
一方、特許文献２には、繊維を撚糸、モノフィラメント、束状にして使用することが記載されているだけであるが、大径の柔軟性繊維と小径の高強度繊維とを組み合わせて使用するとする記載より、公報の第４図に示すように、円形断面に近い紐材が使用されているものと考えられる。
そうすると、このような円形断面のものを被覆体の表面に存在させることとすると、グリップを握った釣り人の手の平にその円形断面の頂点部分が局部的に当接することとなり、長くグリップを持つ場合には、手の平に痛みを感じたり、圧迫感を受けることとなる為に、改善の余地があった。
【０００５】
本発明の目的は、長くグリップを持つ場合であっても、手の平の痛みや圧迫感を軽減できる釣り竿のグリップ構造を提供する点にある。
【課題を解決するための手段】
【０００６】
〔構成〕
請求項１に係る発明の特徴構成は、竿素材の外周面にコア材を取付固定するとともに、前記コア材の外周面に繊維を組み合わせた紐材を編み組した被覆体を取り付け、前記紐材を、厚みに対して横幅の広い偏平断面形状のものに形成し、前記横幅の広い偏平面が表面を向く状態で巻回してある点にあり、その作用効果は次の通りである。
【０００７】
〔作用〕
紐材として、厚みに対して横幅の広い偏平断面形状のものを使用したので、グリップを握った釣り人の手の平には、偏平な面が当接する。そうすると、円形断面の紐材に比べて、釣り人の手の平に当接する面積を広くし、かつ、一定の面圧で作用することになるので、手の平に作用する痛み、および、圧迫感を緩和できる。
【０００８】
〔効果〕
紐材の断面形状に簡単な変更を加えるだけで、釣り操作を長時間に亘って快適に行える釣り竿のグリップ構造を提供できるに至った。
【０００９】
請求項２に係る発明の特徴構成は、請求項１に係る発明において、前記被覆体の表面に柔軟性塗料を施すとともに、前記紐材の表面に位置する前記柔軟性塗料層の表面を平坦面に形成してある点にあり、その作用効果は次の通りである。
【００１０】
〔作用効果〕
つまり、柔軟な塗料の表面を平坦面に形成してあるので、手の平に当接する面が均等に当接することとなり、局部的に当接力が高まることを抑制できるとともに、柔軟性のある塗料であるので、弾性力による手の平への圧迫感を緩和するとともに握り保持力を高めることができる。
【００１１】
請求項３に係る発明の特徴構成は、請求項１又は２に係る発明において、前記被覆体が前記紐材を編み組みした袋である点にあり、その作用効果は次の通りである。
【００１２】
〔作用効果〕
被覆体を袋に形成するので、紐材を直接コア材に巻回して被覆体を構成する場合に比べて、コア材に被覆体を組つけることが容易になり、かつ、被覆体自体も単独の部品として構成されるので、紐材が解れたりすることが少ない。
【００１３】
請求項４に係る発明の特徴構成は、請求項１〜３の内のいずれか一つに係る発明において、前記紐材を、前記竿素材の軸線に対して傾斜する状態に配置して編み組みする点にあり、その作用効果は次の通りである。
【００１４】
〔作用効果〕
このように、紐材を軸線に対して傾斜する状態に配置してあるので、竿を操作する際に、その紐材が、釣り竿が軸線を中心にして周方向に回転する状態に対する抵抗となり、手からすり抜ける釣り竿の軸線方向への移動に対しても抵抗となり、握る状態が安定する。
【００１５】
請求項５に係る発明の特徴構成は、請求項１に係る発明において、前記被覆体の表面に柔軟性塗料を施すとともに、前記紐材の表面を平滑面に形成してある点にあり、その作用効果は次の通りである。
【００１６】
〔作用効果〕
つまり、紐材の表面を平滑面に形成してあるので、手の平に当接する面が均等に当接することとなり、局部的に当接力が高まることを抑制できるとともに、柔軟性塗料が塗布してあるので、その柔軟性塗料が編み組された紐材の間に介在されて、弾性力による手の平への圧迫感を緩和するとともに握り保持力を高めることができる。
しかも、紐材が表出しているので、グリップを握る釣り人の手の平に適度な移動抵抗を与えるので、手からのすり抜けを抑制できる。
【発明を実施するための最良の形態】
【００１７】
ヘラ竿等の釣り竿のグリップ構造について説明する。図１及び図２に示すように、元竿１の竿尻側端部にグリップ２を設けてある。グリップ２は、元竿１の竿素材１Ａの外周面に接着剤を介して固着されているコア材３と、コア材３の外側に装着されている繊維製の被覆体４及び尻栓９とで構成してある。
【００１８】
コア材３の構成に付いて説明する。図１〜図３に示すように、コア材３は発泡ウレタン又はウレタンゴムを材料として成形されたもので、紡錘型の外形を呈している。軸線位置には貫通孔３Ａが形成され、元竿１の竿素材１Ａにその貫通孔３Ａ部分を外嵌させることによって、取付固定される。
【００１９】
被覆体４の構成について説明する。図１〜図３に示すように、使用する繊維としては、ナイロン、ポリエステル、ビニロン等の合成樹脂繊維、或いは、綿糸、絹糸等も使用できる。これらの繊維４ａを複数本引き揃えて幅広偏平な紐材４Ａに構成したものであり、紐材４Ａを縦横に編み込み袋形状に形成して被覆体４を構成する。
【００２０】
次に、このグリップ構造についての製造工程を説明する。
（１）  元竿１のグリップ装着部位以外の部位においては、先行して塗装し、ラベル等をスクリーン印刷等によって施して、その後に、竿素材１Ａの竿尻側端部にグリップ２を施工する。
【００２１】
（２）  コア材３となる発泡ウレタン又はウレタンゴム成形品は先行して製造する。図３（イ）に示すように、元竿１の竿素材１Ａの竿尻側端部に前記した貫通孔３Ａを外嵌して、コア材３を取り付ける。貫通孔３Ａと竿素材１Ａの外周面に、貫通孔３Ａ部位を外嵌する前に接着剤を施して、接着固定する。
（３）  竿素材１Ａに取り付けたコア材３の竿先側端部に対して、図３（ロ）に示すように、ペーパによる研削加工を施して、コア材３の中間膨出部３Ｂの外周面に滑らかに繋がる傾斜面３ａとなるように、構成する。
【００２２】
次に、被覆体４を施す。図３（ロ）に示すように、適当な長さに裁断形成した袋状の被覆体４の竿尻端開口部分を閉塞する。この被覆体４を竿先側の開口からコア材３に被せる。このコア材３を被せる前に、コア材３の外周面にウレタン樹脂塗料を施す。
これによって、被覆体４の内周面をコア材３の外周面に密着させた状態で被覆させることができる。
【００２３】
図３（ハ）に示すように、元竿１に被せた被覆体４の竿先側端部を組み付け紐８で仮止めし、その状態の元竿１を軸芯回りで回転させながら、クリア塗料をハケ塗りする。ハケ塗り後は、被覆体４の竿先端、竿尻端において、仮止め紐等を外し、その端部を適当な長さに裁断する。
その後、被覆体４の表面に研磨処理を施した後に、被覆体４の全面に亘って黒色塗料を塗布して図５に示す如く黒色塗装層１１を構成する。この塗料はウレタン系またはエポキシ系の樹脂塗料で被覆体４とコア材３との密着性を高め、毛羽立ちを抑制するためのものである。
【００２４】
次に、被覆体４の竿先側端部の処理を行う。図４に示すように、被覆体４の竿先側端部を、コア材３の竿先端面に沿った縦壁部分４Ｄとその縦壁部分４Ｄから更に竿先側に延出され竿素材１Ａの外周面に密着外嵌されている筒状部分４Ｂとで構成してある。
【００２５】
上記した筒状部分４Ｂとこの筒状部分４Ｂより更に竿先側に位置する竿素材１Ａの外周面に亘って連続的に組付け糸ａを巻き付けて、被覆体４を固定する。
組付け糸ａの巻付け状態を固定する為に、ウレタン系又はエポキシ系の樹脂塗料を厚塗りして厚塗り塗料層５を構成する。厚塗り状態で厚塗り塗料層５の表面を、被覆体４の縦壁部分４Ｄから、筒状部分４Ｂより竿先側に位置する竿素材１Ａの外周面までの範囲に亘って、被覆体４の中間膨出部４Ｃの外周面に平行な傾斜面に形成する。
【００２６】
図４に示すように、厚塗り塗料層５の上から更にクリアー塗料を薄く塗り込みクリアー塗料層６を構成する。このクリアー塗料層６の表面は、圧塗り塗料層５の傾斜面に沿った傾斜面とする。そして、更にクリアー塗料層６の上から黒色のウレタン塗料を塗布して飾り塗り層７を形成する。飾り塗り層７の竿尻端を面一状態で、被覆体４の縦壁部分４Ｄの上端に繋がる状態に塗布している。飾り塗り層７の竿先端は、竿素材１Ａに巻付けられている取付け糸ａの竿先端に回り込む状態で、施してある。
【００２７】
次に、グリップ２の仕上工程に入る。被覆体４の表面に、クリアー塗料を塗布して、被覆体４を固定する。この場合に、前記した飾り塗り層７にはマスキング処理を施しておく。
クリアー塗料を施した後に、図５（イ）に示すように、ゴム入りウレタン塗料を塗布して、ウレタン塗料層１０を構成する。請求項２に記載した柔軟性塗料に該当するものである。
【００２８】
ゴム入りウレタン塗料を塗布した後には、図５（ロ）に示すように、細かい研磨材によって被覆体４の表面に穏かな研磨処理を施す。研磨後、紐材４Ａの表面に施されているウレタン塗料層１０の表面は、平坦面となっており局部的に手の平に圧接することが回避されるとともに、僅かに表面が荒らされた状態となっており、ウレタン塗料層１０を握った釣り人の手の滑りを抑制することとなる（請求項２の構成に対応）。そして、紐材４Ａ同士の間には、ウレタン塗料層１０が深く削り取られて、凹入部が形成してある。
【００２９】
〔別実施形態〕
（１）  紐材４Ａを編み込む場合に、必ずしも、竿素材１Ａの軸線方向に対して傾斜する方向ではなく、軸線方向及び周方向に沿って配置してもよい。
（２）  コア材３としては、発泡ウレタン又はウレタンゴム製のものを記載したが、コルクやソルボセイン等の他の部材を使用してもよい。
（３）  ここでは、請求項５に対応する構成について説明する。図５（ロ）に示す場合より強力な研磨処理を施した状態を示す。図５（ハ）に示すように、被覆体４を構成する紐材４Ａとウレタン塗料層１０とが、強力な研磨処理を受けて、紐材４Ａの表面が平坦面に形成されているとともに、編み込まれている隣接する紐材４Ａ同士の間には、ウレタン塗料層１０が研磨処理を受けて表面より凹入する状態となり、隣接する紐材４Ａ同士の間に僅かな間隙が形成されることとなる。したがって、このグリップ２を握った状態では、平坦な紐材４Ａの凹凸感のないかつ柔軟性のある感触と、前記間隙部分での滑り阻止機能により、握り良いグリップを提供できた。
【図面の簡単な説明】
【００３０】
【図１】グリップの全体側面図
【図２】グリップの全体縦断側面図
【図３】（イ）コア材を元竿に取り付ける前の状態を示す縦断側面図、（ロ）元竿に取り付けたコア材に被覆体を被せる前の状態を示す縦断側面図、（ハ）元竿に被覆体を取り付け、被覆体の竿先側端部を取り付け用の紐で仮止めする状態を示す縦断側面図
【図４】被覆体の竿先側端部における固定処理構造を示す縦断側面図
【図５】（イ）被覆体の上からゴム入りウレタン塗料を塗布した状態を示す一部拡大縦断側面図、（ロ）ゴム入りウレタン塗料層と被覆体とに対して穏かな研磨処理を施した状態を示す一部拡大縦断側面図、（ハ）ゴム入りウレタン塗料層と被覆体とに対して強力な研磨処理を施した状態を示す一部拡大縦断側面図
【符号の説明】
【００３１】
１Ａ            竿素材
３              コア材
４Ａ            紐材
４ａ            繊維
【図１】
2008017791.tif 000003
【図２】
2008017791.tif 000004
【図３】
2008017791.tif 000005
【図４】
2008017791.tif 000006
【図５】
2008017791.tif 000007